(57)【要約】【課題】保護が必要な特定の自動車運転者が、義務として表示しなければならない自動車運転者標識を着脱式にして、健常者と同一の自動車を共用することを可能にする。【解決手段】保護が必要な特定の自動車運転者は、面ファスナーと懸吊ベルトとを介して自動車運転者標識を自動車の外面に垂下し、健常者が同一の自動車を運転するときは、前記自動車運転者標識を取り外して収納するか又は反転して、裏面の交通安全標語をリバーシブル表示する。【選択図】図１
2016113135.tif 000002
【特許請求の範囲】
【請求項１】
懸吊ベルトの上部裏面に粘着剤付の甲面と乙面とからなる面ファスナーの甲面ファスナーを貼付し、前記懸吊ベルトの下方表面には運転者標識を標示し、前記懸吊ベルトの裏面が標語又は広告を標示する幅員を具有し、乙面ファスナーを自動車のボンネットか或いはトランクリッドが下降して閉止する外縁部に隠蔽して貼付し、前記面ファスナーと前記懸吊ベルトとを介して自動車の外面に垂下する自動車運転者標識。
【請求項２】
懸吊ベルトの上部裏面に粘着剤付の甲面と乙面とからなる面ファスナーの甲面ファスナーを貼付し、前記懸吊ベルトの下方表面には運転者標識を標示し、前記懸吊ベルトの裏面が標語又は広告を標示する幅員を具有し、乙面ファスナーを前記甲面ファスナーから所定幅を離間して前記懸吊ベルトの下方裏面に貼付し、自動車の突設部材に前記懸吊ベルトの前記上部裏面を環状に巻掛け、前記甲面ファスナーと前記乙面ファスナーとを着接し、自動車の外面に垂下する自動車運転者標識。
【請求項３】
前記粘着剤付の甲面と乙面とからなる前記面ファスナーの前記甲面ファスナーを上部裏面に貼付した懸吊ベルト部材と、該懸吊ベルト部材の下方表面に着設する別製の運転者標識部材とで構成した請求項１又は２に記載の自動車運転者標識。
【請求項４】
前記懸吊ベルト又は前記懸吊ベルト部材の上部両面に前記甲面ファスナーを貼付した請求項１又は３に記載の自動車運転者標識。
【請求項５】
前記懸吊ベルト又は前記懸吊ベルト部材の上部両面に前記甲面ファスナーを貼付し、前記甲面ファスナーから所定幅を離間して前記懸吊ベルト又は前記懸吊ベルト部材の下方両面に前記乙面ファスナーを貼付した請求項２に記載の自動車運転者標識。
【発明の詳細な説明】
【技術分野】
【０００１】  本発明は、保護が必要な特定の自動車運転者が、自動車の前方又は後方から見やすい位置に、義務として表示しなければならない自動車運転者標識に関する。
【背景技術】
【０００２】  従来、道路交通法で定める自動車運転者が表示する義務がある標識は、自動車の車内から窓ガラスに貼り付ける吸盤式と、車体の外側に貼り付けるマグネット式などが市販されている。
【発明の概要】
【発明が解決しようとする課題】
【０００３】  以上に述べた従来の自動車運転者標識は、自動車の車内から窓ガラスに貼り付ける吸盤式と、車体の外面に貼り付けるマグネット式とであるが、自動車の意匠を凝らした形態と装飾に埋没して目立ち難く、その装着時と装着後にも次のような欠点があった。【０００４】１．吸盤式は車内専用で、熱せられた硝子面であったり汚れた硝子面では吸着力が弱く落下しやすい。
また、ウィンドフイルムなど樹脂製の素材には吸盤の痕跡が残る。
２．マグネット式は車外専用で、装着面が高温になったり長期間装着すると、塗装面に固着したり塗装面が剥離したり装着した痕跡が残る。
また、非鉄金属や曲面とか凹凸面への装着が不可能で、走行中の風圧や振動によって脱落することもある。
３．特に初心運転者標識は、僅か一年間の装着であるにも拘わらず、新車や新しい塗装面に装着すると、装着痕跡が残る憂いがあった。【０００５】  本発明は、このような従来の標識が有していた問題を解決しようとするものであり、標識を自動車の外面に目立ちやすく垂下し、自動車運転者標識の表示義務を負わない健常者が運転するときには、標識を取り外し収納するか又は反転して裏面の標語をリバーシブル表示することにより、健常者と保護が必要な特定の自動車運転者とが同一の自動車を共用することを目的とするものである。
【課題を解決するための手段】
【０００６】  第１の課題解決手段は、懸吊ベルトの上部裏面に粘着剤付の甲面と乙面とからなる面ファスナーの甲面ファスナーを貼付し、前記懸吊ベルトの下方表面には運転者標識を標示し、前記懸吊ベルトの裏面が標語又は広告を標示する幅員を具有し、乙面ファスナーを自動車のボンネットか或いはトランクリッドが下降して閉止する外縁部に隠蔽して貼付し、前記面ファスナーと前記懸吊ベルトとを介して自動車の外面に自動車運転者標識を垂下するものである。【０００７】  第２の課題解決手段は、懸吊ベルトの上部裏面に粘着剤付の甲面と乙面とからなる面ファスナーの甲面ファスナーを貼付し、前記懸吊ベルトの下方表面には運転者標識を標示し、前記懸吊ベルトの裏面が標語又は広告を標示する幅員を具有し、乙面ファスナーを前記甲面ファスナーから所定幅を離間して前記懸吊ベルトの下方裏面に貼付し、自動車の突設部材に前記懸吊ベルトの前記上部裏面を環状に巻掛け、前記甲面ファスナーと前記乙面ファスナーとを着接し、自動車の外面に自動車運転者標識を垂下するものである。【０００８】  第３の課題解決手段は、前記粘着剤付の甲面と乙面とからなる前記面ファスナーの前記甲面ファスナーを上部裏面に貼付した懸吊ベルト部材と、該懸吊ベルト部材の下方表面に着設する別製の運転者標識部材とで構成した自動車運転者標識である。【０００９】  第４の課題解決手段は、前記懸吊ベルト又は前記懸吊ベルト部材の上部両面に前記甲面ファスナーを貼付したものである。【００１０】  第５の課題解決手段は、前記懸吊ベルト又は前記懸吊ベルト部材の上部両面に前記甲面ファスナーを貼付し、前記甲面ファスナーから所定幅を離間して前記懸吊ベルト又は前記懸吊ベルト部材の下方両面に前記乙面ファスナーを貼付したものである。【００１１】  第１の課題解決手段による作用は、自動車のボンネットか或いはトランクリッドが下降して閉止する外縁部に乙面ファスナーを貼付し、運転者標識を標示した懸吊ベルトの上部裏面の甲面ファスナーを前記乙面ファスナーに着接し、ボンネットか或いはトランクリッドが下降して粘着剤付の甲面と乙面とからなる面ファスナーが隠蔽された状態で前記運転者標識を自動車の外面に垂下して表示するものである。【００１２】  また、健常者が同一の自動車を運転するときは、自動車運転者標識を取り外して収納するか又は反転して裏面の交通安全標語をリバーシブル表示する。【００１３】  第２の課題解決手段による作用は、自動車の突設部材に懸吊ベルトの上部裏面を環状に巻掛け、前記甲面ファスナーと前記乙面ファスナーとを着接し、前記懸吊ベルトの下方表面に標示した運転者標識を自動車の外面に垂下して表示するものである。【００１４】  また、健常者が同一の自動車を運転するときは、自動車運転者標識を取り外して収納する。【００１５】  第３の課題解決手段による作用は、前記粘着剤付の甲面と乙面とからなる面ファスナーを裏面に貼付した別製の懸吊ベルト部材に別製の運転者標識部材を着装したもので、別製の前記懸吊ベルト部材と別製の運転者標識部材とを別個に製作し、少量の製造に対応する。【００１６】  第４の課題解決手段による作用は、懸吊ベルトの上部両面に前記甲面ファスナーを貼付し、前記懸吊ベルト��上部両面に貼付した前記甲面ファスナーの片方を、自動車のボンネットか或いはトランクリッドが下降して閉止する外縁部に貼付した乙面ファスナーに着接し、前記懸吊ベルトの両面を表裏入れ替えて自動車の外面に垂下する。【００１７】  第５の課題解決手段による作用は、前記懸吊ベルト又は前記懸吊ベルト部材の上部両面に前記甲面ファスナーを貼付し、該甲面ファスナーから所定幅を離間して前記懸吊ベルト又は前記懸吊ベルト部材の下方両面に前記乙面ファスナーを貼付し、自動車の突設部材に前記懸吊ベルトの上部を表裏交互に巻掛け、前記甲面ファスナーと前記乙面ファスナーとを着接し、前記懸吊ベルト又は前記懸吊ベルト部材の両面を表裏入れ替えて自動車の外面に垂下する。
【発明の効果】
【００１８】  第１の課題解決手段による効果は、懸吊ベルトの上部裏面に貼付した甲面ファスナーを、自動車のボンネットか或いはトランクリッドが下降して閉止する外縁部に隠蔽して貼付した乙面ファスナーに着接し、車体の外側に自動車運転者標識を垂下する方式であるから、運転者標識が塗装面に固着したり塗装面が剥離したり装着痕跡が残る憂いもなく、前記自動車運転者標識が自動車の正面又は後面に位置して目立ち易く、視認効果も高くなる。【００１９】  また、着脱式の自動車運転者標識であるから、標識を着脱して健常者と保護が必要な特定の自動車運転者とが、同一の自動車を共用することを可能にする。
また、健常者が自動車運転者標識を取り外した跡に残置する乙面ファスナーは、ボンネットか或いはトランクリッドが下降して閉止する外縁部に隠蔽されるから、自動車外面の美観は損なわれない。【００２０】  第２の課題解決手段による効果は、自動車のフロントグリルに設けられた突設部材に懸吊ベルトの上部裏面を環状に巻掛け、前記甲面ファスナーと前記乙面ファスナーとを着接し、前記懸吊ベルトの下方表面に標示した運転者標識を自動車の外面に垂下して表示する構成であるから、塗装面を痛める要因が無く、前記自動車運転者標識が自動車の正面に位置して目立ち易く、視認効果も高くなる。【００２１】  また、着脱式の自動車運転者標識であるから、標識を着脱して健常者と保護が必要な特定の自動車運転者とが同一の自動車を共用することを可能にする。【００２２】  第３の課題解決手段による効果は、粘着剤付の甲面と乙面とからなる面ファスナーを裏面に貼付した別製の懸吊ベルト部材部材と別製の運転者標識部材とを別個に製作し、前記懸吊ベルトに運転者標識を着装する構成であるから、四種類からなる標識の内の少量製造の対応に適し素材の節減にもなる。【００２３】  第４の課題解決手段による効果は、懸吊ベルト又は懸吊ベルト部材の両面に甲面ファスナーを貼付することにより、該甲面ファスナーを自動車のボンネットか或いはトランクリッドが下降して閉止する外縁部に貼付した乙面ファスナーに、運転者標識を反転して着接し表示することが可能であるから、自動車運転者標識の表示義務を負わない健常者が運転するときには標識を取り外し収納するか又は裏面の標語をリバーシブル表示することにより、健常者と保護が必要な特定の自動車運転者とが同一の自動車を共用することが可能である。【００２４】  また、前記懸吊ベルト又は前記懸吊ベルト部材の裏面に交通安全標語を標示することにより安全運転の啓蒙に寄与する。【００２５】  第５の課題解決手段による効果は、
懸吊ベルト又は懸吊ベルト部材の上部両面に甲面ファスナーを貼付し、前記甲面ファスナーから所定幅を離間して前記懸吊ベルト又は前記懸吊ベルト部材の下方両面に乙面ファスナーを貼付したものであるから、自動車の突設部材に前記懸吊ベルトの上部を表裏交互に巻掛けて、前記甲面ファスナーと前記乙面ファスナーとを着接しすることにより、運転者標識を反転して表示することが可能になり、自動車運転者標識の表示義務を負わない健常者が運転するときには標識を取り外し収納するか又は反転して裏面の標語をリバーシブル表示することにより、健常者と保護が必要な特定の自動車運転者とが同一の自動車を共用することが可能である。【００２６】  また、前記懸吊ベルト又は前記懸吊ベルト部材の裏面に交通安全標語を標示することにより安全運転の啓蒙に寄与する。
【発明を実施するための形態】
【００２７】  以下、本発明の実施の形態を図１〜３に基づいて説明する。
【００２８】  図においては、懸吊ベルト１の上部裏面Ａに粘着剤付の甲面と乙面とからなる面ファスナーＣの甲面ファスナーを貼付し、前記懸吊ベルト１の下方表面Ｂには運転者標識５を標示し、前記懸吊ベルト１の裏面が標語又は広告を標示する幅員を具有し、乙面ファスナー３を自動車のボンネットか或いはトランクリッドが下降して閉止する外縁部に隠蔽して貼付し、前記面ファスナーＣと前記懸吊ベルト１とを介して自動車の外面に垂下する自動車運転者標識である。
【００２９】  また、前記懸吊ベルト１を反転した裏面には標語又は広告を標示する。
【００３０】  本発明の図４〜６は、懸吊ベルト１の上部両面に甲面ファスナー２を貼付し、前記甲面ファスナー２から所定幅を離間して前記懸吊ベルト１の両面に乙面ファスナー３を貼付し、自動車の突設部材に前記懸吊ベルト１の上部裏面を環状に巻掛け、前記甲面ファスナーと前記乙面ファスナーとを着接することにより、運転者標識５を反転して表示することが可能になり、自動車運転者標識の表示義務を負わない健常者が運転するときには前記運転者標識５を取り外し収納するか又は反転して裏面の標語をリバーシブル表示し、健常者と保護が必要な特定の自動車運転者とが同一の自動車を共用することが可能である。
【００３１】  また、前記懸吊ベルト１を反転した裏面には標語又は広告を標示する。
【００３２】  本発明の図７〜９は、道路交通法で定める自動車の運転者が標示する標識は、初心運転者用、高齢運転者用、聴覚障害者用、身体障害者用の四種類であるが、需要の少ない標識は前記粘着剤付の甲面と乙面とからなる面ファスナーＣを裏面に貼付した別製の懸吊ベルト部材１１と別製の運転者標識部材５５とを別個に製作し、別製の懸吊ベルト部材１１の下方表面Ｂに別製の運転者標識部材５５を着装するもので、少量製造の対応に適し素材を節減するものである。
【００３３】  本発明の図１０は、懸吊ベルト１又は懸吊ベルト部材１１の上部裏面Ａに粘着剤付の甲面と乙面とからなる面ファスナーＣの甲面ファスナー２を貼付し、乙面ファスナー３を自動車の外縁部４に貼付しするものである。
【００３４】  本発明の図１１は、懸吊ベルト１又は懸吊ベルト部材１１の上部両面に、粘着剤付の甲面と乙面とからなる面ファスナーＣの甲面ファスナー２を貼付し、乙面ファスナー３を自動車の外縁部４に貼付しするものである。
【００３５】  本発明の図１２〜１５は、自動車前部の突設部材６に懸吊ベルト１の上部裏面Ａを環状に巻掛けて、甲面ファスナー２と乙面ファスナー３とを着接し、前記懸吊ベルト１の下方表面Ｂに標示した運転者標識５を自動車の外面に垂下して表示するものである。
【００３６】  本発明の図１６〜１７は、懸吊ベルト１の上部裏面Ａに貼付した甲面ファスナー２を、自動車の外縁部４に貼付した乙面ファスナー３に着接し、前記懸吊ベルト１の下方表面Ｂに標示した運転者標識５を自動車の外面に垂下して表示するものである。
【００３７】  本発明の図１８は、懸吊ベルト１の上部裏面Ａに貼付した甲面ファスナー２を、自動車のトランクリッド側に貼付した乙面ファスナー３に着接し、トランクリッドが下降して閉止したときは運転者標識５が自動車の外面に垂下して表示するものである。
【００３８】  なお、本発明に甲面と乙面とからなる面ファスナーを適用した実施の形態を説明しているが、フック面とループ面との区別の無い面ファスナーにも同様に適用できる。
【図面の簡単な説明】
【００３９】
【図１】  懸吊ベルトの上部裏面に粘着剤付の甲面と乙面とからなる面ファスナーの甲面ファスナー側を貼付し、前記懸吊ベルトの下方表面には運転者標識を標示した自動車運転者標識の正面図
【図２】  同じく図１における自動車運転者標識の断面図
【図３】  同じく図１における自動車運転者標識の裏面図
【図４】  懸吊ベルトの上部両面に甲面ファスナーと、甲面ファスナーから所定幅を離間して乙面ファスナーを貼付し、前記懸吊ベルトの下方表面に運転者標識を標示した自動車運転者標識の正面図
【図５】  同じく図４における自動車運転者標識の断面図
【図６】  同じく図４における自動車運転者標識の裏面図
【図７】  粘着剤付の甲面と乙面とからなる面ファスナーを裏面に貼付した別製の懸吊ベルト部材と別製の運転者標識部材とを別個に製作し、前記懸吊ベルト部材に運転者標識部材を着装した自動車運転者標識の正面図
【図８】  同じく図７における自動車運転者標識の断面図
【図９】  同じく図７における自動車運転者標識の裏面図
【図１０】  懸吊ベルト又は懸吊ベルト部材の上部裏面に貼付した甲面ファスナーを自動車の外縁部に貼付した乙面ファスナーに着接した拡大図
【図１１】  懸吊ベルト又は懸吊ベルト部材の上部両面に貼付した甲面ファスナーの片方を自動車の外縁部に貼付した乙面ファスナーに着接した拡大図
【図１２】  自動車のフロントグリルに設けられた突設部材に、懸吊ベルトの上部裏面を環状に巻掛けて、甲面ファスナーと乙面ファスナーとを着接し、運転者標識を自動車の外面に垂下して表示する自動車運転者標識の正面図
【図１３】  同じく図１２における自動車運転者標識の断面図
【図１４】  自動車のフロントグリルに取り付けた突設部材に、懸吊ベルトの上部裏面を環状に巻掛けて、甲面ファスナーと乙面ファスナーとを着接し、運転者標識を自動車の外面に垂下して表示する自動車運転者標識の正面図
【図１５】  同じく図１４における自動車運転者標識の断面図
【図１６】  懸吊ベルトの上部裏面に貼付した甲面ファスナーを、自動車のトランクリッドが下降して隠蔽し閉止する自動車の外縁部に貼付した乙面ファスナーに着接し、自動車の外面に自動車運転者標識を垂下して表示する自動車運転者標識の正面図
【図１７】  同じく図１６における自動車運転者標識を表示する断面図
【図１８】  懸吊ベルトの上部裏面に貼付した甲面ファスナーを、自動車のトランクリッド側に貼付した乙面ファスナーに着接した自動車運転者標識の断面図
【符号の説明】
【００４０】Ａ      上部裏面
Ｂ      下方表面
Ｄ      所定幅
Ｃ      面ファスナー
１      懸吊ベルト
２      甲面ファスナー
３      乙面ファスナー
４      自動車の外縁部
５      運転者標識
１１    懸吊ベルト部材
５５    運転者標識部材
【図１】
2016113135.tif 000003
【図２】
2016113135.tif 000004
【図３】
2016113135.tif 000005
【図４】
2016113135.tif 000006
【図５】
2016113135.tif 000007
【図６】
2016113135.tif 000008
【図７】
2016113135.tif 000009
【図８】
2016113135.tif 000010
【図９】
2016113135.tif 000011
【図１０】
2016113135.tif 000012
【図１１】
2016113135.tif 000013
【図１２】
2016113135.tif 000014
【図１３】
2016113135.tif 000015
【図１４】
2016113135.tif 000016
【図１５】
2016113135.tif 000017
【図１６】
2016113135.tif 000018
【図１７】
2016113135.tif 000019
【図１８】
2016113135.tif 000020
【手続補正書】
【提出日】平成27年3月29日(2015.3.29)
【手続補正１】
【補正対象書類名】明細書
【補正対象項目名】全文
【補正方法】変更
【補正の内容】
【発明の詳細な説明】
【技術分野】
【０００１】  本発明は、初心運転者・高齢運転者・聴覚障害者・身体障害者など、保護が必要な特定の自動車運転者が、自動車の前方又は後方から見やすい位置に、義務として表示しなければならない自動車運転者標識に関する。
【背景技術】
【０００２】  従来、道路交通法で定める自動車運転者が表示する義務がある標識は、自動車の車内から窓ガラスに貼り付ける吸盤式と、車体の外側に貼り付けるマグネット式などが市販されている。
【発明の概要】
【発明が解決しようとする課題】
【０００３】  以上に述べた従来の自動車運転者標識は、自動車の車内から窓ガラスに貼り付ける吸盤式と、車体の外面に貼り付けるマグネット式とであるが、自動車の意匠を凝らした形態と装飾に埋没して目立ち難く、その装着時と装着後にも次のような欠点があった。【０００４】  １．吸盤式は車内取付の硝子専用であって、熱せられた硝子面や熱線で熱せられるリア硝子面及び汚れた硝子面では吸着力が弱く落下しやすい。
また、吸盤はウィンドフイルムなど樹脂製の素材には吸着した痕跡が残る。
２．マグネット式は車外専用で、装着面が高温になったり長期間装着すると、塗装面に固着したり塗装面が剥離したり装着した痕跡が残る。
また、マグネット式は高速道路など走行中の風圧や振動によって脱落することもあり、非鉄金属や曲面とか凹凸面への装着が不可能であった。
３．特に初心運転者標識は、僅か一年間の装着であるにも拘わらず、新車や新しい塗装面に装着すると、装着痕跡が残る憂いがあった。【０００５】  本発明は、このような従来の標識が有していた問題を解決しようとするものであり、標識を自動車の外面に目立ちやすく垂下し、自動車運転者標識の表示義務を負わない健常者が運転するときには、標識を取り外して収納するか又は標識を反転して裏面の安全運転標語をリバーシブル表示することにより、健常者と保護が必要な特定の自動車運転者とが同一の自動車を共用すると共に安全運転を喚起することを目的とするものである。
また、着脱が容易であり走行中の風圧や振動によって脱落しない自動車運転者標識を提供するものである。
また、自動車運転者標識を自動車の前面と後面に目立ちやすく垂下し、保護が必要な特定の自動車運転者である証しを明確に表示して、後続車のあおり運転による威嚇や嫌がらせ行為を抑制し、その不心得な振る舞いを回避することを目的とするものである。
【課題を解決するための手段】
【０００６】  第１の課題解決手段は、懸吊ベルトの上部裏面に粘着剤付の甲ファスナーと乙ファスナーとからなる面ファスナーの甲ファスナーを貼付し、前記懸吊ベルトの下方表面には運転者標識を表示し、前記懸吊ベルトの裏面が標語又は広告を表示する幅員を具有し、前記乙ファスナーを自動車のボンネットか或いはトランクリッドが下降して閉止する外縁部に隠蔽して貼付し、前記面ファスナーと前記懸吊ベルトとを介して自動車の外面に垂下するものである。【０００７】  第２の課題解決手段は、懸吊ベルトの上部裏面に粘着剤付の甲ファスナーと乙ファスナーとからなる面ファスナーの甲ファスナーを貼付し、前記懸吊ベルトの下方表面には運転者標識を表示し、前記懸吊ベルトの裏面が標語又は広告を表示する幅員を具有し、前記乙ファスナーを前記甲ファスナーから所定幅を離間して前記懸吊ベルトの下方裏面に貼付し、自動車の突設部材に前記懸吊ベルトの前記上部裏面を環状に巻掛け、前記甲ファスナーと前記乙ファスナーとを着接し、自動車の外面に垂下するものである。【０００８】  第３の課題解決手段は、短冊形で裏面が標語又は広告を表示する幅員を具有した懸吊ベルト部材と、該懸吊ベルト部材の下方表面に接合する運転者標識部材と、前記懸吊ベルト部材の上部裏面に貼付する面ファスナーの甲ファスナーと、前記懸吊ベルト部材の裏面に貼付する面ファスナーの乙ファスナーとの各部材からなる自動車運転者標識である。【０００９】  第４の課題解決手段は、前記懸吊ベルト又は前記懸吊ベルト部材の上部両面に前記甲ファスナーを貼付するものである。【００１０】  第５の課題解決手段は、前記懸吊ベルト又は前記懸吊ベルト部材の上部両面に前記甲ファスナーを貼付し、前記甲ファスナーから所定幅を離間して前記懸吊ベルト又は前記懸吊ベルト部材の下方両面に前記乙ファスナーを貼付するものである。【００１１】  第６の課題解決手段は、前記懸吊ベルト又は前記懸吊ベルト部材の下端が突縁に形成されたものである。【００１２】  第１の課題解決手段による作用は、短冊形で裏面が標語又は広告を表示する幅員を具有し、下方表面に運転者標識を表示した軟質合成樹脂製の懸吊ベルトと、前記懸吊ベルトの上部裏面に甲ファスナーと乙ファスナーとからなる面ファスナーの甲ファスナーを貼付し、前記乙ファスナーを自動車のボンネットか或いはトランクリッドかが下降して閉止する外縁部に隠蔽して貼付し、前記面ファスナーと前記懸吊ベルトとを介して自動車の外面に前記自動車運転者標識を垂下するものである。【００１３】  また、健常者が同一の自動車を運転するときは、自動車運転者標識を取り外して収納するか又は反転して裏面の交通安全標語をリバーシブル表示するものである。【００１４】  第２の課題解決手段による作用は、短冊形で裏面が標語又は広告を表示する幅員を具有し、下方表面に運転者標識を表示した軟質合成樹脂製の懸吊ベルトと、該懸吊ベルトの上部裏面に貼付する甲ファスナーと乙ファスナーとからなる面ファスナーの前記甲ファスナーと、該甲ファスナーの位置から下方に所定幅を離間して前記乙ファスナーを貼付し、離間した所定幅を自動車前部の突設部材に巻掛けて、前記懸吊ベルト上部の前記甲ファスナーと前記乙ファスナーとを輪っかに着接し、自動車の外面に前記運転者標識を垂下し表示するものである。【００１５】  また、健常者が同一の自動車を運転するときは、自動車運転者標識を取り外して収納するものである。【００１６】  第３の課題解決手段による作用は、短冊形で裏面が標語又は広告を表示する幅員を具有した軟質合成樹脂製の懸吊ベルト部材と、該懸吊ベルト部材の下方表面にウェルダー溶着又は接合部材で接合する軟質合成樹脂製の運転者標識部材と、前記懸吊ベルト部材の上部裏面に貼付する面ファスナーの甲ファスナーと、前記懸吊ベルト部材の裏面に貼付する面ファスナーの乙ファスナーとの各部材を備え、前記運転者標識部材と、前記懸吊ベルト部材と、前記面ファスナーとの順に各部材を重ね合わせて接合し、前記懸吊ベルト部材と面ファスナーとで自動車の外面に前記運転者標識部材を垂下し標示するものである。【００１７】  第４の課題解決手段による作用は、前記懸吊ベルト又は前記懸吊ベルト部材の上部両面に甲ファスナーと乙ファスナーとからなる面ファスナーの甲ファスナーを貼付し、前記甲ファスナーの片方を、自動車のボンネットか或いはトランクリッドかが下降して閉止する外縁部に貼付する乙ファスナーに着接し、表面側の運転者標識又は運転者標識部材と裏面側の標語又は広告とを反転し、前記懸吊ベルトの両面を表裏入れ替えて自動車の外面にリバーシブル表示するものである。【００１８】  第５の課題解決手段による作用は、前記懸吊ベルト又は前記懸吊ベルト部材の上部両面に甲ファスナーと乙ファスナーとからなる面ファスナーの甲ファスナーを貼付し、該甲ファスナーから所定幅を離間して前記懸吊ベルト又は前記懸吊ベルト部材の下方両面に前記乙ファスナーを貼付し、自動車の突設部材に前記懸吊ベルト又は前記懸吊ベルト部材の上部を表裏交互に巻掛け、前記甲ファスナーと乙ファスナーとを着接し、前記懸吊ベルト又は前記懸吊ベルト部材の両面を表裏入れ替えて自動車の外面に垂下するものである。【００１９】第６の課題解決手段による作用は、短冊形の前記懸吊ベルト又は前記懸吊ベルト部材の下端を突縁にし、水切り勾配を形成して付着した雨水や洗車後の水滴を速やかに排除させるものである。
【発明の効果】
【００２０】  第１の課題解決手段による効果は、運転者標識を表示する懸吊ベルトの上部裏面に貼付する甲ファスナーを、自動車のボンネットか或いはトランクリッドかが下降して閉止する外縁部に隠蔽して貼付する乙ファスナーに着接し、車体の外面に自動車運転者標識を垂下する方式であるから、運転者標識が車体の塗装面に固着したり、塗装面が剥離したりまた運転者標識を装着した痕跡が残る憂いもなく、前記自動車運転者標識が自動車の正面又は後面に突設されるから目立ち易く、並走する周辺の自動車からの視認効果も高くなる。【００２１】また、運転者標識は勿論のこと、懸吊ベルトも反射性能を有する材質にすることにより、自動車運転者標識全体が輝いて夜間でも遠くから認識され易くなり、前記懸吊ベルトの色を自動車の車体色の反対色にするとにより、更に際だって注視を浴びる効果がある。【００２２】また、自動車運転者標識を装着する面ファスナーは、ボンネットか或いはトランクリッドが下降して閉止する外縁部と車体の外縁部とで銜えられ咬持されるから、出来心や悪戯による盗難被害を防止し、走行中の風圧や振動によって自動車運転者標識が脱落することもない。【００２３】  また、着脱式の自動車運転者標識であるから、自動車運転者標識を着脱して健常者と保護が必要な特定の自動車運転者とが、同一の自動車を区別することなく共用することを可能にする。【００２４】  また、健常者が自動車運転者標識を取り外した跡に残置する乙ファスナーは、ボンネットか或いはトランクリッドが下降して閉止する外縁部に隠蔽されるから、自動車外面の美観は損なわれない。【００２５】  第２の課題解決手段による効果は、懸吊ベルトの上部裏面に貼付する甲ファスナーの位置から下方に所定幅を離間して乙ファスナーを貼付し、自動車前部のフロントグリルに設けられた突設部材に、前記離間部を輪っかに巻掛けて前記甲ファスナーと前記乙ファスナーとを着接し、運転者標識を自動車の外面に垂下して表示するものであるから、自動車運転者標識は瞬時に取り外すことが困難であり、出来心や悪戯による盗難被害を防止し、塗装面を痛める要因が無く、高速道路など走行中の風圧や振動によって脱落することもない。【００２６】また、運転者標識は勿論のこと、懸吊ベルトも反射性能を有する材質にすることにより、自動車運転者標識全体が輝いて夜間でも遠くから認識され易くなり、前記懸吊ベルトの色を自動車の車体色の反対色にするとにより、更に際だって注視を浴びる効果がある。【００２７】  また、着脱式の自動車運転者標識であるから、標識を着脱して健常者と保護が必要な特定の自動車運転者とが同一の自動車を共用することを可能にする。【００２８】また、吊設方式の自動車運転者標識であるから、車体に固着したり塗装面が剥離したり、新車や新しい塗装面に装着した痕跡が残る憂いもない。【００２９】  第３の課題解決手段による効果は、粘着剤付の甲ファスナーと乙ファスナーとからなる面ファスナーを裏面に貼付した別製の懸吊ベルト部材部材と別製の運転者標識部材とを別個に製作し、前記懸吊ベルトに運転者標識を着装する構成であるから、四種類からなる標識の内の少量製造の対応に適し素材の節減にもなる。【００３０】  また、短冊形で裏���が標語又は広告を表示する幅員を具有した軟質合成樹脂製の懸吊ベルト部材と、該懸吊ベルト部材の下方表面に接合する軟質合成樹脂製の運転者標識部材とをウエルダー溶着又は接合部材で接合し、前記懸吊ベルト部材の上部裏面に貼付する甲ファスナーと乙ファスナーとからなる面ファスナーを順に重ね合わせるものであるから、安価な設備で多品種少量生産での対応に適する。【００３１】また、道路交通法で定める自動車運転者が表示する標識は、初心運転者用、高齢運転者用、聴覚障害者用、身体障害者用の四種類であるが、別個に製作した需要の少ない運転者標識部材と別個に製作した懸吊ベルト部材とをウエルダー溶着又は接合部材で接合するから、受注生産による少量製造に適し、需要の少ない自動車運転者標識を大量に見込み生産する必要がない。【００３２】また、運転者標識部材と、短冊形の懸吊ベルト部材とを別個に製作し、前記運転者標識部材と、両面テープ又は接着剤の接合部材と、短冊形の前記懸吊ベルト部材と、面ファスナーとからなる各部材一式をユーザに提供することにより、多種多様な自動車の形状寸法に合致するよう前記ユーザ自身が任意の位置に各部材を順に重ね合わせて接合し、自動車運転者標識を形成すれば、特異な形状をした自動車であっても取付が可能になる。【００３３】また、運転者標識は勿論のこと、懸吊ベルトも反射性能を有する材質にすることにより、自動車運転者標識全体が輝いて夜間でも遠くから認識され易くなり、前記懸吊ベルトの色を自動車の車体色の反対色にするとにより、更に際だって注視を浴びる効果がある。【００３４】  第４の課題解決手段による効果は、懸吊ベルト又は懸吊ベルト部材の上部両面に甲ファスナーを貼付し、該甲ファスナーを自動車のボンネットか或いはトランクリッドが下降して閉止する外縁部に貼付した乙ファスナーに着接し、自動車運転者標識の表示義務を負わない健常者が運転するときには、裏面の前記甲ファスナーを前記乙ファスナーに着接し、交通安全運転標語又は広告をリバーシブル表示することにより、健常者と保護が必要な特定の自動車運転者とが同一の自動車を共用することが可能である。【００３５】  また、前記懸吊ベルト又は前記懸吊ベルト部材の裏面に交通安全標語を表示することにより安全運転の啓蒙に寄与する。【００３６】  第５の課題解決手段による効果は、懸吊ベルト又は懸吊ベルト部材の上部両面に甲ファスナーを貼付し、前記甲ファスナーから所定幅を離間して前記懸吊ベルト又は前記懸吊ベルト部材の下方両面に乙ファスナーを貼付したものであるから、自動車の突設部材に前記懸吊ベルトの上部を表裏交互に巻掛けて、前記甲ファスナーと前記乙ファスナーとを着接することにより、運転者標識を反転して表示することが可能になり、自動車運転者標識の表示義務を負わない健常者が運転するときには自動車運転者標識を取り外し収納するか又は反転して裏面の標語をリバーシブル表示することにより、健常者と保護が必要な特定の自動車運転者とが同一の自動車を共用することが可能である。【００３７】  また、前記懸吊ベルト又は前記懸吊ベルト部材の裏面に交通安全標語を標示することにより安全運転の啓蒙に寄与する。【００３８】第６の課題解決手段による効果は、短��形の前記懸吊ベルト又は前記懸吊ベルト部材の下端を突縁にして水切り勾配を形成することにより付着した雨水や洗車後の水滴を速やかに排除し、懸吊ベルト又は懸吊ベルト部材と車体外面との接触面の水分を除湿し、水分と微量の酸で生じる車体外面の腐食を防止する。
【発明を実施するための形態】
【００３９】  以下、本発明の実施の形態を図１〜８に基づいて説明する。
【００４０】  図においては、懸吊ベルト２の上部裏面Ｃに粘着剤付の甲ファスナー３と乙ファスナー４とからなる面ファスナーＤの甲ファスナー３を貼付し、前記懸吊ベルト２の下方表面Ａには運転者標識１を表示し、前記懸吊ベルト２の裏面が標語又は広告を標示する幅員Ｂを具有し、乙ファスナー４を自動車のボンネットか或いはトランクリッドが下降して閉止する外縁部Ｅに隠蔽して貼付し、前記面ファスナーＤと前記懸吊ベルト２とを介して自動車の外面に垂下する自動車運転者標識である。
【００４１】  また、前記懸吊ベルト２を反転し、裏面の標語又は広告をリバーシブル表示する。
【００４２】  本発明の図９〜１５は、懸吊ベルト２の上部裏面Ｃに貼付する甲ファスナー３の位置から下方に所定幅Ｆを離間して乙ファスナー４を貼付し、自動車前部の突設部材Ｇに前記離間部を輪っかに巻掛けて前記甲ファスナー３と前記乙ファスナー４とを着接し、運転者標識１を自動車の外面に垂下して表示するものである。
【００４３】  本発明の図１６〜１８は、運転者標識部材１１と、懸吊ベルト部材２２とを別個に製作し、短冊形で裏面が標語又は広告を標示する幅員Ｂを具有した軟質合成樹脂製の前記懸吊ベルト部材２２と、前記懸吊ベルト部材２２の下方表面Ａに接合する軟質合成樹脂製の運転者標識部材１１とをウエルダー接合し、前記懸吊ベルト部材２２の上部裏面Ｃに貼付する甲ファスナー３と乙ファスナー４とからなる面ファスナーＤを順に重ね合わせたものである。
【００４４】  本発明の図１９は、多種多様な自動車の車体形状が、既製品の自動車運転者標識では取付不可能な形状寸法であるとき、運転者標識部材１１と短冊形の懸吊ベルト部材２２とを別個に製作し、前記運転者標識部材１１と、両面テープ又は接着材の接合部材５と、前記懸吊ベルト部材２２と、面ファスナーＤとからなる各部材を、車体の形状寸法に合致するようユーザ自身が任意な位置に順に重ね合わせて接合しするものである。
【００４５】  本発明の図２０〜２２は、懸吊ベルト２の上部両面に貼付する甲ファスナー３の位置から下方に所定幅Ｆを離間して乙ファスナー４を両面に貼付し、自動車前部の突設部材Ｇに前記離間部を輪っかに巻掛けて前記甲ファスナー３と前記乙ファスナー４とを着接し、健常者が運転するときは、裏面の交通安全運転標語又は広告をリバーシブル表示することにより、健常者と保護が必要な特定の自動車運転者とが同一の自動車を共用することが可能になる。
【００４６】  本発明の図２３は、懸吊ベルト２又は懸吊ベルト部材２２の上部裏面Ｃに貼付した甲ファスナー３を、自動車の外縁部Ｅに貼付した乙ファスナー４に着接する詳細図である。
【００４７】  本発明の図２４は、懸吊ベルト２又は懸吊ベルト部材２２の上部両面に貼付した甲ファスナー３の片面を、自動車の外縁部Ｅに貼付した乙ファスナー４に着接するリバーシブル表示の詳細図である。
【００４８】  本発明の図２５は、運転者標識部材１１と、短冊形の懸吊ベルト部材２２とを別個に製作し、前記運転者標識部材１１と、両面テープ又は接着剤の接合部材５と、前記懸吊ベルト部材２２と、面ファスナーＤとからなる各部材を、多種多様な自動車の車体形状に合致するようユーザ自身が任意の位置に順に重ね合わせて接合し、自動車前部の突設部材Ｇに前記離間部を輪っかに巻掛けて前記甲ファスナー３と前記乙ファスナー４とを着接し、前記運転者標識部材１１を自動車の外面に垂下して表示するものである。
【００４９】  なお、本発明に記載の甲ファスナー３と乙ファスナー４とからなる面ファスナーＤを適用した実施の形態を説明しているが、フック面とループ面との区別の無い面ファスナーにも同様に適用する。
【図面の簡単な説明】
【００５０】
【図１】軟質合成樹脂製の懸吊ベルトの下方表面に運転者標識を標示し、前記懸吊ベルトの上部裏面に、甲ファスナーと乙ファスナーとからなる面ファスナーを貼付した自動車運転者標識の正面図
【図２】同じく図１における自動車運転者標識の側面図
【図３】同じく図１における自動車運転者標識の裏面図
【図４】同じく図１における自動車運転者標識の取付正面図
【図５】同じく図１における自動車運転者標識のトランク外縁への取付断面図
【図６】同じく図１における自動車運転者標識のトランク外縁への取付部詳細図
【図７】同じく図１における自動車運転者標識のトランクリッドへの取付断面図
【図８】同じく図１における自動車運転者標識のトランクリッドへの取付部詳細図
【図９】懸吊ベルトの上部裏面に貼付する甲ファスナーの位置から下方に所定幅を離間して乙ファスナーを貼付した自動車運転者標識の正面図
【図１０】同じく図９における自動車運転者標識の側面図
【図１１】同じく図９における懸吊ベルトの裏面に、標語又は広告を表示した自動車運転者標識の裏面図
【図１２】自動車のフロントグリルに、懸吊ベルトの上部裏面を環状に巻掛けて、甲ファスナーと乙ファスナーとを着接し、運転者標識を自動車の外面に垂下して表示する自動車運転者標識の取付正面図
【図１３】同じく図１２における自動車運転者標識の取付断面図
【図１４】自動車のフロントグリルに取り付けた突設部材に、懸吊ベルトの上部裏面を環状に巻掛けて、甲ファスナーと乙ファスナーとを着接し、運転者標識を自動車の外面に垂下して表示する自動車運転者標識の取付正面図
【図１５】同じく図１４における自動車運転者標識の断面図
【図１６】軟質合成樹脂製の懸吊ベルト部材と、該懸吊ベルト部材の下方表面に接合する軟質合成樹脂製の運転者標識部材とをウエルダー接合し、前記懸吊ベルト部材の上部裏面に貼付する甲ファスナーと乙ファスナーとからなる面ファスナーとを備えた自動車運転者標識の正面図
【図１７】同じく図１６における自動車運転者標識の側面図
【図１８】同じく図１６における懸吊ベルトの裏面に、標語又は広告を表示した自動車運転者標識の裏面図
【図１９】軟質合成樹脂製の懸吊ベルト部材と、運転者標識部材と、前記懸吊ベルト部材と前記運転者標識部材とを接合する接合部材と、前記懸吊ベルト部材の上部裏面に貼付する甲ファスナーと乙ファスナーとからなる面ファスナーとからなる各部材の斜視図
【図２０】懸吊ベルトの表裏両面に、甲ファスナーと所定幅を離間して乙ファスナーを貼付した自動車運転者標識の正面図
【図２１】同じく図２０における自動車運転者標識の側面図
【図２２】同じく図２０における自動車運転者標識の裏面図
【図２３】懸吊ベルト又は懸吊ベルト部材の上部裏面に貼付した甲ファスナーを、自動車の外縁部に貼付した乙ファスナーに着接した断面図
【図２４】懸吊ベルト又は懸吊ベルト部材の上部両面に貼付した甲ファスナーの片面を、自動車の外縁部に貼付した乙ファスナーにリバーシブル着接を可能にする断面図
【図２５】運転者標識部材と、両面テープ又は接着材の接合部材と、短冊形の懸吊ベルト部材とからなる各部材を、自動車の車体形状に合致するようユーザ自身が任意の位置に順に重ね合わせて接合し、自動車前部に設けた突設部材に前記懸吊ベルト部材を輪っかに巻掛けて、前記甲ファスナーと前記乙ファスナーとを着接し、前記運転者標識部材を自動車の外面に垂下した自動車運転者標識の正面図
【符号の説明】
【００５１】Ａ      下方表面
Ｂ      幅員
Ｃ      上部裏面
Ｄ      面ファスナー
Ｅ      外縁部
Ｆ      所定幅
Ｇ      突設部材
Ｈ      突縁
１      運転者標識
２      懸吊ベルト
３      甲ファスナー
４      乙ファスナー
５      接合部材
１１    運転者標識部材
２２    懸吊ベルト部材
【手続補正２】
【補正対象書類名】特許請求の範囲
【補正対象項目名】全文
【補正方法】変更
【補正の内容】
【特許請求の範囲】
【請求項１】
懸吊ベルトの上部裏面に粘着剤付の甲ファスナーと乙ファスナーとからなる面ファスナーの甲ファスナーを貼付し、前記懸吊ベルトの下方表面には運転者標識を表示し、前記懸吊ベルトの裏面が標語又は広告を表示する幅員を具有し、前記乙ファスナーを自動車のボンネットか或いはトランクリッドが下降して閉止する外縁部に隠蔽して貼付し、前記面ファスナーと前記懸吊ベルトとを介して自動車の外面に垂下する自動車運転者標識。
【請求項２】
懸吊ベルトの上部裏面に粘着剤付の甲ファスナーと乙ファスナーとからなる面ファスナーの甲ファスナーを貼付し、前記懸吊ベルトの下方表面には運転者標識を表示し、前記懸吊ベルトの裏面が標語又は広告を表示する幅員を具有し、前記乙ファスナーを前記甲ファスナーから所定幅を離間して前記懸吊ベルトの下方裏面に貼付し、自動車の突設部材に前記懸吊ベルトの前記上部裏面を環状に巻掛け、前記甲ファスナーと前記乙ファスナーとを着接し、自動車の外面に垂下する自動車運転者標識。
【請求項３】
短冊形で裏面が標語又は広告を表示する幅員を具有した懸吊ベルト部材と、該懸吊ベルト部材の下方表面に接合する運転者標識部材と、前記懸吊ベルト部材の上部裏面に貼付する面ファスナーの甲ファスナーと、前記懸吊ベルト部材の裏面に貼付する面ファスナーの乙ファスナーとの各部材からなる自動車運転者標識。
【請求項４】
前記懸吊ベルト又は前記懸吊ベルト部材の上部両面に前記甲ファスナーを貼付する請求項１又は３に記載の自動車運転者標識。
【請求項５】
前記懸吊ベルト又は前記懸吊ベルト部材の上部両面に前記甲ファスナーを貼付し、前記甲ファスナーから所定幅を離間して前記懸吊ベルト又は前記懸吊ベルト部材の下方両面に前記乙ファスナーを貼付する請求項２に記載の自動車運転者標識。
【請求項６】
前記懸吊ベルト又は前記懸吊ベルト部材の下端が突縁である請求項１〜３の何れか一項に記載の自動車運転者標識。
【手続補正３】
【補正対象書類名】図面
【補正対象項目名】全図
【補正方法】変更
【補正の内容】
【図１】
2016113135.tif 000021
【図２】
2016113135.tif 000022
【図３】
2016113135.tif 000023
【図４】
2016113135.tif 000024
【図５】
2016113135.tif 000025
【図６】
2016113135.tif 000026
【図７】
2016113135.tif 000027
【図８】
2016113135.tif 000028
【図９】
2016113135.tif 000029
【図１０】
2016113135.tif 000030
【図１１】
2016113135.tif 000031
【図１２】
2016113135.tif 000032
【図１３】
2016113135.tif 000033
【図１４】
2016113135.tif 000034
【図１５】
2016113135.tif 000035
【図１６】
2016113135.tif 000036
【図１７】
2016113135.tif 000037
【図１８】
2016113135.tif 000038
【図１９】
2016113135.tif 000039
【図２０】
2016113135.tif 000040
【図２１】
2016113135.tif 000041
【図２２】
2016113135.tif 000042
【図２３】
2016113135.tif 000043
【図２４】
2016113135.tif 000044
【図２５】
2016113135.tif 000045
【手続補正書】
【提出日】平成27年7月21日(2015.7.21)
【手続補正１】
【補正対象書類名】明細書
【補正対象項目名】全文
【補正方法】変更
【補正の内容】
【発明の詳細な説明】
【技術分野】
【０００１】  本発明は、初心運転者・高齢運転者・聴覚障害者・身体障害者など、保護が必要な特定の自動車運転者が、自動車の前方又は後方から見やすい位置に、義務として表示しなければならない自動車運転者標識に関する。
【背景技術】
【０００２】  従来、道路交通法で定める自動車運転者が表示する義務がある標識は、自動車の車内から窓ガラスに貼り付ける吸盤式と、車体の外側に貼り付けるマグネット式などが市販されている。
【発明の概要】
【発明が解決しようとする課題】
【０００３】  以上に述べた従来の自動車運転者標識は、自動車の車内から窓ガラスに貼り付ける吸盤式と、車体の外面に貼り付けるマグネット式とであるが、自動車の意匠を凝らした形態と装飾に埋没して目立ち難く、その装着時と装着後にも次のような欠点があった。【０００４】  １．吸盤式は車内取付の硝子専用であって、熱せられた硝子面や熱線で熱せられるリア      硝子面及び汚れた硝子面では吸着力が弱く落下しやすい。
また、吸盤はウィンドフイルムなど樹脂製の素材には吸着した痕跡が残る。
２．マグネット式は車外専用で、装着面が高温になったり長期間装着すると、塗装面に      固着したり塗装面が剥離したり装着した痕跡が残る。
また、マグネット式は高速道路など走行中の風圧や振動によって脱落することもあ      り、非鉄金属や曲面とか凹凸面への装着が不可能であった。
３．特に初心運転者標識は、僅か一年間の装着であるにも拘わらず、新車や新しい塗装      面に装着すると、装着痕跡が残る憂いがあった。【０００５】  本発明は、このような従来の標識が有していた問題を解決しようとするものであり、標識を自動車の外面に目立ちやすく垂下し、自動車運転者標識の表示義務を負わない健常者が運転するときには、標識を取り外して収納するか又は標識を反転して裏面の安全運転標語をリバーシブル表示することにより、健常者と保護が必要な特定の自動車運転者とが同一の自動車を共用すると共に安全運転を喚起することを目的とするものである。
また、着脱が容易であり走行中の風圧や振動によって脱落しない自動車運転者標識を提供するものである。
また、自動車運転者標識を自動車の前面と後面に目立ちやすく垂下し、保護が必要な特定の自動車運転者である証しを明確に表示して、後続車のあおり運転による威嚇や嫌がらせ行為を抑制し、その不心得な振る舞いを回避することを目的とするものである。
【課題を解決するための手段】
【０００６】  第１の課題解決手段は、短冊形で下端を突縁に形成した軟質合成樹脂製の懸吊ベルトが下方に運転者標識を表示し、前記懸吊ベルトの裏面には走行する後続車両の運転者から動体視力で読み取れるサイズの標語又は広告を印字する幅員を具有し、前記懸吊ベルトの上部裏面に粘着剤付の甲ファスナーと乙ファスナーとからなる面ファスナーの前記甲ファスナー側を貼付し、前記乙ファスナー側をトランクリッドが下降して閉止する自動車後部の外縁部に隠蔽して貼付し、前記面ファスナーが固定端の節点で一点支持する前記懸吊ベルトを介して前記運転者標識を自動車の後部外面に垂下するものである。【０００７】  第２の課題解決手段は、短冊形で下端を突縁に形成した軟質合成樹脂製の懸吊ベルトが下方に運転者標識を表示し、前記懸吊ベルトの裏面には走行する対向車両の運転者から動体視力で読み取れるサイズの標語又は広告を印字する幅員を具有し、前記懸吊ベルトの上部裏面に粘着剤付の甲ファスナーと乙ファスナーとからなる面ファスナーの前記甲ファスナー側を貼付し、前記乙ファスナー側を前記甲ファスナーから所定幅を離間して前記懸吊ベルトの下方裏面に貼付し、フロントグリルの上段突設部材に前記懸吊ベルトの前記上部裏面を環状に巻掛けて前記甲ファスナーと前記乙ファスナーとを着接する回転端の節点で支持し、前記フロントグリルの下段突設部材には前記懸吊ベルトの前記突縁を挟入する移動端の節点で支持し、前記懸吊ベルトが縦に上下二点の節点で支持する前記運転者標識を自動車の前部外面に表示するものである。【０００８】  第３の課題解決手段は、短冊形で下端は突縁に形成し、裏面には走行する対向車両又は後続車両の運転者から動体視力で読み取れるサイズの標語又は広告を印字する幅員を具有する軟質合成樹脂製の懸吊ベルト部材と、該懸吊ベルト部材の下方表面に接合する軟質合成樹脂製の運転者標識部材と、前記懸吊ベルト部材の上部裏面に貼付する面ファスナーとの各部材からなるものである。【０００９】  第４の課題解決手段は、前記懸吊ベルト又は前記懸吊ベルト部材の上部両面に、甲ファスナーと乙ファスナーとからなる面ファスナーの前記甲ファスナー側を貼付し、前記乙ファスナー側をを自動車のトランクリッドが下降して閉止する外縁部に貼付するものである。【００１０】  第５の課題解決手段は、前記懸吊ベルト又は前記懸吊ベルト部材の上部両面に、甲ファスナーと乙ファスナーとからなる面ファスナーの前記甲ファスナー側を貼付し、前記甲ファスナーから所定幅を離間して前記懸吊ベルト又は前記懸吊ベルト部材の下方両面に前記乙ファスナー側を貼付するものである。【００１１】  第１の課題解決手段による作用は、短冊形で裏面が走行する後続車両の運転者から動体視力で読み取れるサイズの標語又は広告を印字する幅広で軟質合成樹脂製の懸吊ベルトは、面ファスナーを介してトランクの外縁部に固定端の節点で一点支持するものであるから、走行中に懸吊ベルトが下方に表示した前記運転者標識が受ける風圧による捩れや横振れ作用を、一本吊りで幅広の懸吊ベルトが水平方向の応力で耐えて、前記運転者標識部がトランク後面から垂直方向に浮揚し、吹き流し状に離隔して垂下するものである。【００１２】  また、健���者が同一の自動車を運転するときは、自動車運転者標識を取り外して収納するか又は反転して裏面の交通安全標語をリバーシブル表示するものである。【００１３】  第２の課題解決手段による作用は、短冊形で裏面が走行する対向車両の運転者から動体視力で読み取れるサイズの標語又は広告を印字する幅広の懸吊ベルトが、上部をフロントグリルの上段突設部材に対してルーズに巻掛ける上段の節点として支持し、幅広の懸吊ベルトの下端を突縁に水切り面取りを施して下段突設部材にを挟入する下段の節点として支持し、上段の砂塵やごみの層が滞留し難い隙間を備えたルーズな回転端と、下段の水はけの良い移動端とで縦に二点の節点で支持することにより、走行中の風圧と振動とによる運転者標識のばたつきを防ぎ横移動を抑止するものである。【００１４】  また、健常者が同一の自動車を運転するときは、自動車運転者標識を取り外して収納するものである。【００１５】  第３の課題解決手段による作用は、短冊形で下端は突縁に形成し、裏面には走行する対向車両又は後続車両の運転者から動体視力で読み取れるサイズの標語又は広告を印字する幅広で軟質合成樹脂製の懸吊ベルト部材と、該懸吊ベルト部材の下方表面に接合する運転者標識部材と、前記懸吊ベルト部材の上部裏面に貼付する面ファスナーとの各部材を備え、前記運転者標識部材と、前記懸吊ベルト部材と、前記面ファスナーとの順に各部材を重ね合わせて接合するものである。【００１６】  第４の課題解決手段による作用は、前記懸吊ベルト又は前記懸吊ベルト部材の上部両面に甲ファスナーと乙ファスナーとからなる面ファスナーの前記甲ファスナー側を貼付し、自動車のトランクリッドが下降して閉止する外縁部に貼付する前記乙ファスナー側に、上部両面に貼付した前記甲ファスナーの何れか片面を着接し、表面側の運転者標識又は運転者標識部材と裏面側の標語又は広告とを反転し、前記懸吊ベルト又は前記懸吊ベルト部材の両面を表裏入れ替えて自動車の外面にリバーシブル表示するものである。【００１７】  第５の課題解決手段による作用は、前記懸吊ベルト又は前記懸吊ベルト部材の上部両面に甲ファスナーと乙ファスナーとからなる面ファスナーの前記甲ファスナー側を貼付し、該甲ファスナーから所定幅を離間して前記懸吊ベルト又は前記懸吊ベルト部材の下方両面に前記乙ファスナー側を貼付し、フロントグリルの上段突設部材に前記懸吊ベルト又は前記懸吊ベルト部材の上部を表裏交互に巻掛け、前記甲ファスナーと乙ファスナーとを着接し、前記懸吊ベルト又は前記懸吊ベルト部材の両面を表裏入れ替えて自動車の外面に垂下するものである。
【発明の効果】
【００１８】  第１の課題解決手段による効果は、自動車運転者標識を自動車の後面に目立ちやすく垂下し、保護が必要な特定の自動車運転者である証しを明確に表示して、後続車のあおり運転による威嚇や嫌がらせ行為を抑制し、その不心得な振る舞いを回避するものである。【００１９】また、運転者標識を下方に表示した短冊形で幅広の懸吊ベルトは、走行中に前記運転者標識が吹き流し状にトランク後面から離隔し浮揚し、下端に水切り面取りを施し乾燥し易くした突縁にして垂下することにより、風雨に曝され水しぶきを被り或いは洗車後の水溶液など湿食媒体の滞留を排除し、トランクの外縁部と前記運転者標識との接触部における塗装被膜の湿食を防止するものである。【００２０】また、一本吊りで幅広の懸吊ベルトは、裏面に印字する標語又は広告が後続車両の運転者からの動体視力で読み取れるサイズの幅員を具有するから、［図７］及び［図８］に示す如く前記懸吊ベルトを折り返し着接して安全運転標語をリバーシブル表示することにより、安全運転を喚起することも可能である。【００２１】また、運転者標識を表示する懸吊ベルトの上部裏面に貼付する甲ファスナーを、自動車のトランクリッドが下降して閉止する外縁部に隠蔽して貼付する乙ファスナーに着接し、車体の外面に自動車運転者標識を垂下する方式であるから、運転者標識が車体の塗装面に固着したり、塗装面が剥離したりまた運転者標識を装着した痕跡が残る憂いもなく、前記自動車運転者標識が自動車の後面に突設されるから目立ち易く、後続車からの視認効果も高くなる。【００２２】  また、運転者標識は勿論のこと、懸吊ベルトも反射性能を有する材質にすることにより、自動車運転者標識全体が輝いて夜間でも遠くから認識され易くなり、前記懸吊ベルトの色を自動車の車体色の反対色にするとにより、更に際だって注視を浴びる効果がある。【００２３】  また、自動車運転者標識を装着する面ファスナーは、トランクリッドが下降して閉止する外縁部とトランクの外縁部とで銜えられ咬持されるから、出来心や悪戯による盗難被害を防止し、走行中の風圧や振動によって前記自動車運転者標識が脱落することもない。【００２４】  また、着脱式の面ファスナーで装着する自動車運転者標識であるから、着脱して健常者と保護が必要な特定の自動車運転者とが同一の自動車を共用することを可能にする。【００２５】  また、健常者が自動車運転者標識を取り外した跡に残置する乙ファスナーは、トランクリッドが下降して閉止する外縁部に隠蔽されるから、自動車外面の美観は損なわれない。【００２６】  第２の課題解決手段による効果は、自動車運転者標識を自動車前面のフロントグリルに目立ちやすく装着し、保護が必要な特定の自動車運転者である証しを明確に表示して、対向車とのすれ違い事故や出会い頭事故を防ぎ、車両相互の思いやり運転を喚起するものである。【００２７】また、運転者標識を下方に表示した短冊形で幅広の懸吊ベルトの上部はフロントグリルの上段突設部材に対してルーズに巻掛けて回転端とし、幅広の懸吊ベルトの下端は突縁に水切り面取りを施して下段突設部材に挟入する移動端とし、砂塵やごみの層が付着し難くい回転端と水はけの良い移動端とで縦に上下二点で支持し、湿食媒体の滞留によるフロントグリルの突設部材の湿食を防ぐものである。【００２８】上部をフロントグリルの上段突設部材に巻掛ける上段の節点と、幅広の懸吊ベルトの下端を突縁に水切り面取りを施して下段突設部材にを挟入する下段の節点との縦に二点の節点で支持することにより、高速道路などを走行中は風圧による運転者標識のばたつきに耐え横移動を抑止するものであるり、振動によって脱落することもない。【００２９】  また、運転者標識は勿論のこと、懸吊ベルトも反射性能を有する材質にすることにより、自動車運転者標識全体が輝いて夜間でも遠くから認識され易くなり、前記懸吊ベルトの色を自動車の車体色の反対色にするとにより、更に際だって注視を浴びる効果がある。【００３０】  また、着脱式の自動車運転者標識であるから、標識を着脱して健常者と保護が必要な特定の自動車運転者とが同一の自動車を共用することを可能にする。【００３１】  また、吊設方式の自動車運転者標識であるから、車体に固着したり塗装面が剥離したり、新車や新しい塗装面に装着した痕跡が残る憂いもない。【００３２】また、本願発明の［請求項１］又は［請求項２］の自動車運転者標識は同一部材で形成されるものであって、乙ファスナー側を前記甲ファスナーから所定幅を離間して懸吊ベルトの下方裏面に貼付すると［請求項２］になり、乙ファスナー側をトランクリッドが下降して閉止する自動車後部の外縁部に隠蔽して貼付する場合は［請求項１］になるから、１種類の部材を２組製作することで自動車の前面用と後面用とに装着が可能である。【００３３】  第３の課題解決手段による効果は、短冊形で走行する対向車両又は後続車両の運転者から動体視力で読み取れるサイズの標語又は広告を印字する幅員を具有する軟質合成樹脂製の懸吊ベルト部材と、初心運転者・高齢運転者・聴覚障害者・身体障害者などの運転者標識部材と、粘着剤付の甲ファスナーと乙ファスナーとからなる面ファスナーとをそれぞれ別個に製作し、これらの部材を注文の種類に応じて適宜組み合わせることで多品種少量生産に対応し、歩留まりをよくする効果がある。【００３４】  また、運転者標識部材と、懸吊ベルト部材と、両面テープ又は接着剤の接合部材と、面ファスナーとからなる各部材一式をユーザに提供することにより、多種多様な自動車の形状寸法に合致するよう前記ユーザ自身が任意の位置に各部材を順に重ね合わせて接合し、自動車運転者標識を形成することにより、特異な形状をした自動車であっても取付が可能になる。【００３５】  また、運転者標識は勿論のこと、懸吊ベルトも反射性能を有する材質にすることにより、自動車運転者標識全体が輝いて夜間でも遠くから認識され易くなり、前記懸吊ベルトの色を自動車の車体色の反対色にするとにより、更に際だって注視を浴びる効果がある。【００３６】  第４の課題解決手段による効果は、懸吊ベルト又は懸吊ベルト部材の上部両面に甲ファスナーと乙ファスナーとからなる面ファスナーの前記甲ファスナー側を貼付し、トランクリッドが下降して閉止するトランク外縁部に貼付した前記乙ファスナーえ前記甲ファスナー側の片面を着接し、運転者標識と裏面の標語又は広告をリバーシブル表示するものであるが、自動車運転者標識の表示義務���負わない健常者が運転するときには、自動車運転者標識を取り外して収納すること無く反転して裏面の標語をリバーシブル表示することにより、健常者と保護が必要な特定の自動車運転者とが同一の自動車を共用することが可能になる。【００３７】  また、開口したトランクリッドの先端内側へ乙ファスナー側を貼付したところえ甲ファスナー側の片面を折り返し着接し、［図７］及び［図８］に示す如く表面側の運転者標識又は運転者標識部材と裏面側の標語又は広告とを反転してリバーシブル表示することも可能である。【００３８】  第５の課題解決手段による効果は、懸吊ベルト又は懸吊ベルト部材の上部両面に甲ファスナーと乙ファスナーとからなる面ファスナーの前記甲ファスナー側を貼付し、該甲ファスナーから所定幅を離間して前記懸吊ベルト又は前記懸吊ベルト部材の下方両面に前記乙ファスナーを貼付したものであるから、フロントグリルの上段突設部材に前記懸吊ベルトの上部を表裏交互に巻掛けて、前記甲ファスナーと前記乙ファスナーとを着接することにより、運転者標識を反転して表示することが可能になり、自動車運転者標識の表示義務を負わない健常者が運転するときには、自動車運転者標識を取り外して収納すること無く反転して裏面の標語をリバーシブル表示することが可能になり、健常者と保護が必要な特定の自動車運転者とが同一の自動車を共用するものである。
【発明を実施するための形態】
【００３９】  以下、本発明の実施の形態を図１〜８に基づいて説明する。
【００４０】  図においては、懸吊ベルト２の上部裏面Ｃに粘着剤付の甲ファスナー３と乙ファスナー４とからなる面ファスナーＤの甲ファスナー３を貼付し、前記懸吊ベルト２の下方表面Ａには運転者標識１を表示し、前記懸吊ベルト２の裏面が標語又は広告を標示する幅員Ｂを具有し、乙ファスナー４を自動車のボンネットか或いはトランクリッドが下降して閉止する外縁部Ｅに隠蔽して貼付し、前記面ファスナーＤと前記懸吊ベルト２とを介して自動車の外面に垂下する自動車運転者標識である。
【００４１】  また、前記懸吊ベルト２を反転し、裏面の標語又は広告をリバーシブル表示する。
【００４２】  本発明の図９〜１５は、懸吊ベルト２の上部裏面Ｃに貼付する甲ファスナー３の位置から下方に所定幅Ｆを離間して乙ファスナー４を貼付し、自動車前部の突設部材Ｇに前記離間部を輪っかに巻掛けて前記甲ファスナー３と前記乙ファスナー４とを着接し、運転者標識１を自動車の外面に垂下して表示するものである。
【００４３】  本発明の図１６〜１８は、運転者標識部材１１と、懸吊ベルト部材２２とを別個に製作し、短冊形で裏面が標語又は広告を標示する幅員Ｂを具有した軟質合成樹脂製の前記懸吊ベルト部材２２と、前記懸吊ベルト部材２２の下方表面Ａに接合する軟質合成樹脂製の運転者標識部材１１とをウエルダー接合し、前記懸吊ベルト部材２２の上部裏面Ｃに貼付する甲ファスナー３と乙ファスナー４とからなる面ファスナーＤを順に重ね合わせたものである。
【００４４】  本発明の図１９は、多種多様な自動車の車体形状が、既製品の自動車運転者標識では取付不可能な形状寸法であるとき、運転者標識部材１１と短冊形の懸吊ベルト部材２２とを別個に製作し、前記運転者標識部材１１と、両面テープ又は接着材の接合部材５と、前記懸吊ベルト部材２２と、面ファスナーＤとからなる各部材を、車体の形状寸法に合致するようユーザ自身が任意な位置に順に重ね合わせて接合しするものである。
【００４５】  本発明の図２０〜２２は、懸吊ベルト２の上部両面に貼付する甲ファスナー３の位置から下方に所定幅Ｆを離間して乙ファスナー４を両面に貼付し、自動車前部の突設部材Ｇに前記離間部を輪っかに巻掛けて前記甲ファスナー３と前記乙ファスナー４とを着接し、健常者が運転するときは、裏面の交通安全運転標語又は広告をリバーシブル表示することにより、健常者と保護が必要な特定の自動車運転者とが同一の自動車を共用することが可能になる。
【００４６】  本発明の図２３は、懸吊ベルト２又は懸吊ベルト部材２２の上部裏面Ｃに貼付した甲ファスナー３を、自動車の外縁部Ｅに貼付した乙ファスナー４に着接する詳細図である。
【００４７】  本発明の図２４は、懸吊ベルト２又は懸吊ベルト部材２２の上部両面に貼付した甲ファスナー３の片面を、自動車の外縁部Ｅに貼付した乙ファスナー４に着接するリバーシブル表示の詳細図である。
【００４８】  本発明の図２５は、運転者標識部材１１と、短冊形の懸吊ベルト部材２２とを別個に製作し、前記運転者標識部材１１と、両面テープ又は接着剤の接合部材５と、前記懸吊ベルト部材２２と、面ファスナーＤとからなる各部材を、多種多様な自動車の車体形状に合致するようユーザ自身が任意の位置に順に重ね合わせて接合し、自動車前部の突設部材Ｇに前記離間部を輪っかに巻掛けて前記甲ファスナー３と前記乙ファスナー４とを着接し、前記運転者標識部材１１を自動車の外面に垂下して表示するものである。
【００４９】  なお、本発明に記載の甲ファスナー３と乙ファスナー４とからなる面ファスナーＤを適用した実施の形態を説明しているが、フック面とループ面との区別の無い面ファスナーにも同様に適用する。
【図面の簡単な説明】
【００５０】
【図１】軟質合成樹脂製の懸吊ベルトの下方表面に運転者標識を標示し、前記懸吊ベルトの上部裏面に、甲ファスナーと乙ファスナーとからなる面ファスナーを貼付した自動車運転者標識の正面図
【図２】同じく図１における自動車運転者標識の側面図
【図３】同じく図１における自動車運転者標識の裏面図
【図４】同じく図１における自動車運転者標識の取付正面図
【図５】同じく図１における自動車運転者標識のトランク外縁への取付断面図
【図６】同じく図１における自動車運転者標識のトランク外縁への取付部詳細図
【図７】同じく図１における自動車運転者標識のトランクリッドへの取付断面図
【図８】同じく図１における自動車運転者標識のトランクリッドへの取付部詳細図
【図９】懸吊ベルトの上部裏面に貼付する甲ファスナーの位置から下方に所定幅を離間して乙ファスナーを貼付した自動車運転者標識の正面図
【図１０】同じく図９における自動車運転者標識の側面図
【図１１】同じく図９における懸吊ベルトの裏面に、標語又は広告を表示した自動車運転者標識の裏面図
【図１２】自動車のフロントグリルに、懸吊ベルトの上部裏面を環状に巻掛けて、甲ファスナーと乙ファスナーとを着接し、運転者標識を自動車の外面に垂下して表示する自動車運転者標識の取付正面図
【図１３】同じく図１２における自動車運転者標識の取付断面図
【図１４】自動車のフロントグリルに取り付けた突設部材に、懸吊ベルトの上部裏面を環状に巻掛けて、甲ファスナーと乙ファスナーとを着接し、運転者標識を自動車の外面に垂下して表示する自動車運転者標識の取付正面図
【図１５】同じく図１４における自動車運転者標識の断面図
【図１６】軟質合成樹脂製の懸吊ベルト部材と、該懸吊ベルト部材の下方表面に接合する軟質合成樹脂製の運転者標識部材とをウエルダー接合し、前記懸吊ベルト部材の上部裏面に貼付する甲ファスナーと乙ファスナーとからなる面ファスナーとを備えた自動車運転者標識の正面図
【図１７】同じく図１６における自動車運転者標識の側面図
【図１８】同じく図１６における懸吊ベルトの裏面に、標語又は広告を表示した自動車運転者標識の裏面図
【図１９】軟質合成樹脂製の懸吊ベルト部材と、運転者標識部材と、前記懸吊ベルト部材と前記運転者標識部材とを接合する接合部材と、前記懸吊ベルト部材の上部裏面に貼付する甲ファスナーと乙ファスナーとからなる面ファスナーとからなる各部材の斜視図
【図２０】懸吊ベルトの表裏両面に、甲ファスナーと所定幅を離間して乙ファスナーを貼付した自動車運転者標識の正面図
【図２１】同じく図２０における自動車運転者標識の側面図
【図２２】同じく図２０における自動車運転者標識の裏面図
【図２３】懸吊ベルト又は懸吊ベルト部材の上部裏面に貼付した甲ファスナーを、自動車の外縁部に貼付した乙ファスナーに着接した断面図
【図２４】懸吊ベルト又は懸吊ベルト部材の上部両面に貼付した甲ファスナーの片面を、自動車の外縁部に貼付した乙ファスナーにリバーシブル着接を可能にする断面図
【図２５】運転者標識部材と、両面テープ又は接着材の接合部材と、短冊形の懸吊ベルト部材とからなる各部材を、自動車の車体形状に合致するようユーザ自身が任意の位置に順に重ね合わせて接合し、自動車前部に設けた突設部材に前記懸吊ベルト部材を輪っかに巻掛けて、前記甲ファスナーと前記乙ファスナーとを着接し、前記運転者標識部材を自動車の外面に垂下した自動車運転者標識の正面図
【符号の説明】
【００５１】Ａ      下方表面
Ｂ      幅員
Ｃ      上部裏面
Ｄ      面ファスナー
Ｅ      外縁部
Ｆ      所定幅
Ｇ      突設部材
Ｈ      突縁
１      運転者標識
２      懸吊ベルト
３      甲ファスナー
４      乙ファスナー
５      接合部材
１１    運転者標識部材
２２    懸吊ベルト部材
【手続補正２】
【補正対象書類名】特許請求の範囲
【補正対象項目名】全文
【補正方法】変更
【補正の内容】
【特許請求の範囲】
【請求項１】
短冊形で下端を突縁に形成した軟質合成樹脂製の懸吊ベルトが下方に運転者標識を表示し、前記懸吊ベルトの裏面には走行する後続車両の運転者から動体視力で読み取れるサイズの標語又は広告を印字する幅員を具有し、前記懸吊ベルトの上部裏面に粘着剤付の甲ファスナーと乙ファスナーとからなる面ファスナーの前記甲ファスナー側を貼付し、前記乙ファスナー側をトランクリッドが下降して閉止する自動車後部の外縁部に隠蔽して貼付し、前記面ファスナーが固定端の節点で一点支持する前記懸吊ベルトを介して前記運転者標識を自動車の後部外面に垂下する自動車運転者標識。
【請求項２】
短冊形で下端を突縁に形成した軟質合成樹脂製の懸吊ベルトが下方に運転者標識を表示し、前記懸吊ベルトの裏面には走行する対向車両の運転者から動体視力で読み取れるサイズの標語又は広告を印字する幅員を具有し、前記懸吊ベルトの上部裏面に粘着剤付の甲ファスナーと乙ファスナーとからなる面ファスナーの前記甲ファスナー側を貼付し、前記乙ファスナー側を前記甲ファスナーから所定幅を離間して前記懸吊ベルトの下方裏面に貼付し、フロントグリルの上段突設部材に前記懸吊ベルトの前記上部裏面を環状に巻掛けて前記甲ファスナーと前記乙ファスナーとを着接する回転端の節点で支持し、前記フロントグリルの下段突設部材には前記懸吊ベルトの前記突縁を挟入する移動端の節点で支持し、前記懸吊ベルトが縦に上下二点の節点で支持する前記運転者標識を自動車の前部外面に表示する自動車運転者標識。
【請求項３】
短冊形で下端は突縁に形成し、裏面には走行する対向車両又は後続車両の運転者から動体視力で読み取れるサイズの標語又は広告を印字する幅員を具有する軟質合成樹脂製の懸吊ベルト部材と、該懸吊ベルト部材の下方表面に接合する軟質合成樹脂製の運転者標識部材と、前記懸吊ベルト部材の上部裏面に貼付する面ファスナーとの各部材からなる自動車運転者標識。
【請求項４】
前記懸吊ベルト又は前記懸吊ベルト部材の上部両面に、甲ファスナーと乙ファスナーとからなる面ファスナーの前記甲ファスナー側を貼付し、前記乙ファスナー側をを自動車のトランクリッドが下降して閉止する外縁部に貼付する請求項１又は３に記載の自動車運転者標識。
【請求項５】
前記懸吊ベルト又は前記懸吊ベルト部材の上部両面に、甲ファスナーと乙ファスナーとからなる面ファスナーの前記甲ファスナー側を貼付し、前記甲ファスナーから所定幅を離間して前記懸吊ベルト又は前記懸吊ベルト部材の下方両面に前記乙ファスナー側を貼付する請求項２に記載の自動車運転者標識。
【手続補正書】
【提出日】平成28年2月2日(2016.2.2)
【手続補正１】
【補正対象書類名】明細書
【補正対象項目名】全文
【補正方法】変更
【補正の内容】
【発明の詳細な説明】
【技術分野】
【０００１】  本発明は、初心運転者・高齢運転者・聴覚障害者・身体障害者など、保護が必要な特定の自動車運転者が、自動車の前方又は後方から見やすい位置に、義務として表示しなければならない自動車運転者標識に関する。
【背景技術】
【０００２】  従来、道路交通法で定める自動車運転者が表示する義務がある標識は、自動車の車内から窓ガラスに貼り付ける吸盤式と、車体の外側に貼り付けるマグネット式などが市販されている。
【発明の概要】
【発明が解決しようとする課題】
【０００３】  以上に述べた従来の自動車運転者標識は、自動車の車内から窓ガラスに貼り付ける吸盤式と、車体の外面に貼り付けるマグネット式とであるが、自動車の意匠を凝らした形態と装飾に埋没して目立ち難く、その装着時と装着後にも次のような欠点があった。【０００４】  １．吸盤式は車内取付の硝子専用であって、熱せられた硝子面や熱線で熱せられるリア      硝子面及び汚れた硝子面では吸着力が弱く落下しやすい。
また、吸盤はウィンドフイルムなど樹脂製の素材には吸着した痕跡が残る。
２．マグネット式は車外専用で、装着面が高温になったり長期間装着すると、塗装面に      固着したり塗装面が剥離したり装着した痕跡が残る。
また、マグネット式は高速道路など走行中の風圧や振動によって脱落することもあ      り、非鉄金属や曲面とか凹凸面への装着が不可能であった。
３．特に初心運転者標識は、僅か一年間の装着であるにも拘わらず、新車や新しい塗装      面に装着すると、装着痕跡が残る憂いがあった。【０００５】  本発明は、このような従来の標識が有していた問題を解決しようとするものであり、標識を自動車の外面に目立ちやすく垂下し、自動車運転者標識の表示義務を負わない健常者が運転するときには、標識を取り外して収納するか又は標識を反転して裏面の安全運転標語をリバーシブル表示することにより、健常者と保護が必要な特定の自動車運転者とが同一の自動車を共用すると共に安全運転を喚起することを目的とするものである。
また、着脱が容易であり走行中の風圧や振動によって脱落しない自動車運転者標識を提供するものである。
また、自動車運転者標識を自動車の前面と後面に目立ちやすく垂下し、保護が必要な特定の自動車運転者である証しを明確に表示して、後続車のあおり運転による威嚇や嫌がらせ行為を抑制し、その不心得な振る舞いを回避することを目的とするものである。
【課題を解決するための手段】
【０００６】  第１の課題解決手段は、短冊形で下端を突縁に形成した軟質合成樹脂製の懸吊ベルトが下方に運転者標識を表示する面を有し、前記懸吊ベルトの上部裏面に粘着剤付の甲ファスナーと乙ファスナーとからなる面ファスナーの前記甲ファスナー側を貼付し、前記乙ファスナー側をトランクリッドが下降して閉止する自動車後部の外縁部に隠蔽して貼付し、前記面ファスナーが固定端の節点で一点支持する前記懸吊ベルトを介して前記運転者標識を自動車の後部外面に垂下するものである。【０００７】  第２の課題解決手段は、短冊形で下端を突縁に形成した軟質合成樹脂製の懸吊ベルトが下方に運転者標識を表示する面を有し、前記懸吊ベルトの上部裏面に粘着剤付の甲ファスナーと乙ファスナーとからなる面ファスナーの前記甲ファスナー側を貼付し、前記乙ファスナー側を前記甲ファスナーから所定幅を離間して前記懸吊ベルトの下方裏面に貼付し、フロントグリルの上段突設部材に前記懸吊ベルトの前記上部裏面を環状に巻掛けて前記甲ファスナーと前記乙ファスナーとを着接する回転端の節点で支持し、前記フロントグリルの下段突設部材には前記懸吊ベルトの前記突縁を挟入する移動端の節点で支持し、前記懸吊ベルトが縦に上下二点の節点で支持する前記運転者標識を自動車の前部外面に表示するものである。【０００８】  第３の課題解決手段は、短冊形で下端は突縁に形成した軟質合成樹脂製の懸吊ベルト部材と、該懸吊ベルト部材の下方表面に重着する軟質合成樹脂製の運転者標識部材と、前記懸吊ベルト部材の上部裏面に貼付する面ファスナーとの各部材からなるものである。【０００９】  第１の課題解決手段による作用は、短冊形で幅広の軟質合成樹脂製の懸吊ベルトは、面ファスナーを介してトランクの外縁部に固定端の節点で一点支持するものであるから、走行中に懸吊ベルトが下方に表示した前記運転者標識が受ける風圧による捩れや横振れ作用を、一本吊りで幅広の懸吊ベルトが水平方向の応力で耐えて、前記運転者標識部がトランク後面から垂直方向に浮揚し、吹き流し状に離隔して垂下するものである。【００１０】  また、健常者が同一の自動車を運転するときは、自動車運転者標識を取り外して収納するものである。【００１１】  第２の課題解決手段による作用は、短冊形で幅広の懸吊ベルトが、上部をフロントグリルの上段突設部材に対してルーズに巻掛ける上段の節点として支持し、幅広の懸吊ベルトの下端を下段突設部材にを挟入する下段の節点として支持し、上段の砂塵やごみの層が滞留し難い隙間を備えたルーズな回転端と、下段の水はけの良い移動端とで縦に二点の節点で支持することにより、走行中の風圧と振動とによる運転者標識のばたつきを防ぎ横移動を抑止するものである。【００１２】  また、健常者が同一の自動車を運転するときは、自動車運転者標識を取り外して収納するものである。【００１３】  第３の課題解決手段による作用は、短冊形で下端は突縁に形成した幅広で軟質合成樹脂製の懸吊ベルト部材と、該懸吊ベルト部材の下方表面に重着する運転者標識部材と、前記懸吊ベルト部材の上部裏面に貼付する面ファスナーとの各部材を備え、前記運転者標識部材と、前記懸吊ベルト部材と、前記面ファスナーとの順に各部材を重ね合わせて接��するものである。
【発明の効果】
【００１４】  第１の課題解決手段による効果は、自動車運転者標識を自動車の後面に目立ちやすく垂下し、保護が必要な特定の自動車運転者である証しを明確に表示して、後続車のあおり運転による威嚇や嫌がらせ行為を抑制し、その不心得な振る舞いを回避するものである。【００１５】  また、運転者標識を下方に表示した短冊形で幅広の懸吊ベルトは、下端を水切り突縁にして垂下することにより、走行中に前記運転者標識が吹き流し状にトランク後面から離隔し浮揚し、風雨に曝され水しぶきを被り或いは洗車後の水溶液など湿食媒体の滞留を排除し、トランクの外縁部と前記運転者標識との接触部における塗装被膜の湿食を防止するものである。【００１６】  また、一本吊りで幅広の懸吊ベルトは裏面の標語又は広告を、［図７］及び［図８］に示す如く前記懸吊ベルトを折り返し着接して安全運転標語をリバーシブル表示することにより、安全運転を喚起することも可能である。【００１７】  また、運転者標識を表示する懸吊ベルトの上部裏面に貼付する甲ファスナーを、自動車のトランクリッドが下降して閉止する外縁部に隠蔽して貼付する乙ファスナーに着接し、車体の外面に自動車運転者標識を垂下する方式であるから、運転者標識が車体の塗装面に固着したり、塗装面が剥離したりまた運転者標識を装着した痕跡が残る憂いもなく、前記自動車運転者標識が自動車の後面に突設されるから目立ち易く、後続車からの視認効果も高くなる。【００１８】  また、運転者標識は勿論のこと、同一シートからプレス抜きする懸吊ベルトも反射性能を有する材質にすることにより、自動車運転者標識全体が輝いて夜間でも遠くから認識され易くなり、前記懸吊ベルトの色を自動車の車体色の反対色にすると、更に際だって注視を浴びる効果がある。【００１９】  また、自動車運転者標識を装着する面ファスナーは、トランクリッドが下降して閉止する外縁部とトランクの外縁部とで銜えられ咬持されるから、出来心や悪戯による盗難被害を防止し、走行中の風圧や振動によって前記自動車運転者標識が脱落することもない。【００２０】  また、着脱式の面ファスナーで装着する自動車運転者標識であるから、着脱して健常者と保護が必要な特定の自動車運転者とが同一の自動車を共用することを可能にする。【００２１】  また、健常者が自動車運転者標識を取り外した跡に残置する乙ファスナーは、トランクリッドが下降して閉止する外縁部に隠蔽されるから、自動車外面の美観は損なわれない。【００２２】  第２の課題解決手段による効果は、自動車運転者標識を自動車前面のフロントグリルに目立ちやすく装着し、保護が必要な特定の自動車運転者である証しを明確に表示して、対向車とのすれ違い事故や出会い頭事故を防ぎ、車両相互の思いやり運転を喚起するものである。【００２３】  また、運転者標識を下方に表示した短冊形で幅広の懸吊ベルトの上部は、フロントグリルの上段突設部材に対してルーズに巻掛けて回転端とし、幅広の懸吊ベルトの下端は突縁にして下段突設部材に挟入する移動端とし、砂塵やごみの層が付着し難くい回転端と水はけの良い移動端とで縦に上下二点で支持し、湿食媒体の滞留によるフロントグリルの突設部材の湿食を防ぐものである。【００２４】  上部をフロント��リルの上段突設部材に巻掛ける上段の節点と、幅広の懸吊ベルトの下端を突縁にして下段突設部材にを挟入する下段の節点との縦に二点の節点で支持することにより、高速道路などを走行中は風圧による運転者標識のばたつきに耐え横移動を抑止するものであるり、振動によって脱落することもない。【００２５】  また、運転者標識は勿論のこと、同一シートからプレス抜きする懸吊ベルトも反射性能を有する材質にすることにより、自動車運転者標識全体が輝いて夜間でも遠くから認識され易くなり、前記懸吊ベルトの色を自動車の車体色の反対色にすると、更に際だって注視を浴びる効果がある。【００２６】  また、着脱式の自動車運転者標識であるから、標識を着脱して健常者と保護が必要な特定の自動車運転者とが同一の自動車を共用することを可能にする。【００２７】  また、吊設方式の自動車運転者標識であるから、車体に固着したり塗装面が剥離したり、新車や新しい塗装面に装着した痕跡が残る憂いもない。【００２８】  また、本願発明の［請求項１］又は［請求項２］の自動車運転者標識は同一部材で形成されるものであって、乙ファスナー側を前記甲ファスナーから所定幅を離間して懸吊ベルトの下方裏面に貼付すると［請求項２］になり、乙ファスナー側をトランクリッドが下降して閉止する自動車後部の外縁部に隠蔽して貼付する場合は［請求項１］になるから、１種類の部材を２組製作することで自動車の前面用と後面用とに装着が可能である。【００２９】  第３の課題解決手段による効果は、短冊形で軟質合成樹脂製の懸吊ベルト部材と、初心運転者・高齢運転者・聴覚障害者・身体障害者などの運転者標識部材と、粘着剤付の甲ファスナーと乙ファスナーとからなる面ファスナーとをそれぞれ別個に製作し、これらの部材を注文の種類に応じて適宜組み合わせて重着することで多品種少量生産に対応し、歩留まりをよくする効果がある。【００３０】  また、運転者標識部材と、懸吊ベルト部材と、両面テープ又は接着剤の接合部材と、面ファスナーとからなる各部材一式をユーザに提供することにより、多種多様な自動車の形状寸法に合致するよう前記ユーザ自身が任意の位置に各部材を順に重ね合わせて接合し、自動車運転者標識を形成することにより、特異な形状をした自動車であっても取付が可能になる。【００３１】  また、運転者標識は勿論のこと、懸吊ベルトも反射性能を有する材質にすることにより、自動車運転者標識全体が輝いて夜間でも遠くから認識され易くなり、前記懸吊ベルトの色を自動車の車体色の反対色にすると、更に際だって注視を浴びる効果がある。
【発明を実施するための形態】
【００３２】  以下、本発明の実施の形態を図１〜８に基づいて説明する。
【００３３】  図においては、懸吊ベルト２の上部裏面Ｃに粘着剤付の甲ファスナー３と乙ファスナー４とからなる面ファスナーＤの甲ファスナー３を貼付し、前記懸吊ベルト２の下方表面Ａには運転者標識１を表示し、乙ファスナー４を自動車のトランクリッドが下降して閉止する外縁部Ｅに隠蔽して貼付し、前記面ファスナーＤと前記懸吊ベルト２とを介して自動車の外面に垂下する自動車運転者標識である。
【００３４】  また、前記懸吊ベルト２を反転し、裏面の標語又は広告をリバーシブル表示する。
【００３５】  本発明の図９〜１５は、懸吊ベルト２の上部裏面Ｃに貼付する甲ファスナー３の位置から下方に所定幅Ｆを離間して乙ファスナー４を貼付し、自動車前部の突設部材Ｇに前記離間部を輪っかに巻掛けて前記甲ファスナー３と前記乙ファスナー４とを着接し、運転者標識１を自動車の外面に垂下して表示するものである。
【００３６】  本発明の図１６〜１８は、運転者標識部材１１と、懸吊ベルト部材２２とを別個に製作し、短冊形で軟質合成樹脂製の前記懸吊ベルト部材２２と、前記懸吊ベルト部材２２の下方表面Ａに接合する軟質合成樹脂製の運転者標識部材１１とを接合し、前記懸吊ベルト部材２２の上部裏面Ｃに貼付する甲ファスナー３と乙ファスナー４とからなる面ファスナーＤを順に重ね合わせたものである。
【００３７】  本発明の図１９は、多種多様な自動車の車体形状が、既製品の自動車運転者標識では取付不可能な形状寸法であるとき、運転者標識部材１１と短冊形の懸吊ベルト部材２２とを別個に製作し、前記運転者標識部材１１と、両面テープ又は接着材の接合部材５と、前記懸吊ベルト部材２２と、面ファスナーＤとからなる各部材を、車体の形状寸法に合致するようユーザ自身が任意な位置に順に重ね合わせて接合しするものである。
【００３８】  本発明の図２０〜２２は、懸吊ベルト２の上部両面に貼付する甲ファスナー３の位置から下方に所定幅Ｆを離間して乙ファスナー４を両面に貼付し、自動車前部の突設部材Ｇに前記離間部を輪っかに巻掛けて前記甲ファスナー３と前記乙ファスナー４とを着接し、健常者が運転するときは、裏面の交通安全運転標語又は広告をリバーシブル表示することにより、健常者と保護が必要な特定の自動車運転者とが同一の自動車を共用することが可能になる。
【００３９】  本発明の図２３は、懸吊ベルト２又は懸吊ベルト部材２２の上部裏面Ｃに貼付した甲ファスナー３を、自動車の外縁部Ｅに貼付した乙ファスナー４に着接する詳細図である。
【００４０】  本発明の図２４は、懸吊ベルト２又は懸吊ベルト部材２２の上部両面に貼付した甲ファスナー３の片面を、自動車の外縁部Ｅに貼付した乙ファスナー４に着接するリバーシブル表示の詳細図である。
【００４１】  本発明の図２５は、運転者標識部材１１と、短冊形の懸吊ベルト部材２２とを別個に製作し、前記運転者標識部材１１と、両面テープ又は接着剤の接合部材５と、前記懸吊ベルト部材２２と、面ファスナーＤとからなる各部材を、多種多様な自動車の車体形状に合致するようユーザ自身が任意の位置に順に重ね合わせて接合し、自動車前部の突設部材Ｇに前記離間部を輪っかに巻掛けて前記甲ファスナー３と前記乙ファスナー４とを着接し、前記運転者標識部材１１を自動車の外面に垂下して表示するものである。
【００４２】  なお、本発明に記載の甲ファスナー３と乙ファスナー４とからなる面ファスナーＤを適用した実施の形態を説明しているが、フック面とループ面との区別の無い面ファスナーにも同様に適用する。
【図面の簡単な説明】
【００４３】
【図１】  軟質合成樹脂製の懸吊ベルトの下方表面に運転者標識を標示し、前記懸吊ベルトの上部裏面に、甲ファスナーと乙ファスナーとからなる面ファスナーを貼付した自動車運転者標識の正面図
【図２】  同じく図１における自動車運転者標識の側面図
【図３】  同じく図１における自動車運転者標識の裏面図
【図４】  同じく図１における自動車運転者標識の取付正面図
【図５】  同じく図１における自動車運転者標識のトランク外縁への取付断面図
【図６】  同じく図１における自動車運転者標識のトランク外縁への取付部詳細図
【図７】  同じく図１における自動車運転者標識のトランクリッドへの取付断面図
【図８】  同じく図１における自動車運転者標識のトランクリッドへの取付部詳細図
【図９】  懸吊ベルトの上部裏面に貼付する甲ファスナーの位置から下方に所定幅を離間して乙ファスナーを貼付した自動車運転者標識の正面図
【図１０】  同じく図９における自動車運転者標識の側面図
【図１１】  同じく図９における懸吊ベルトの裏面に、標語又は広告を表示した自動車運転者標識の裏面図
【図１２】  自動車のフロントグリルに、懸吊ベルトの上部裏面を環状に巻掛けて、甲ファスナーと乙ファスナーとを着接し、運転者標識を自動車の外面に垂下して表示する自動車運転者標識の取付正面図
【図１３】  同じく図１２における自動車運転者標識の取付断面図
【図１４】  自動車のフロントグリルに取り付けた突設部材に、懸吊ベルトの上部裏面を環状に巻掛けて、甲ファスナーと乙ファスナーとを着接し、運転者標識を自動車の外面に垂下して表示する自動車運転者標識の取付正面図
【図１５】  同じく図１４における自動車運転者標識の断面図
【図１６】  軟質合成樹脂製の懸吊ベルト部材と、該懸吊ベルト部材の下方表面に接合する軟質合成樹脂製の運転者標識部材とを接合し、前記懸吊ベルト部材の上部裏面に貼付する甲ファスナーと乙ファスナーとからなる面ファスナーとを備えた自動車運転者標識の正面図
【図１７】  同じく図１６における自動車運転者標識の側面図
【図１８】  同じく図１６における懸吊ベルトの裏面に、標語又は広告を表示した自動車運転者標識の裏面図
【図１９】  軟質合成樹脂製の懸吊ベルト部材と、運転者標識部材と、前記懸吊ベルト部材と前記運転者標識部材とを接合する接合部材と、前記懸吊ベルト部材の上部裏面に貼付する甲ファスナーと乙ファスナーとからなる面ファスナーとからなる各部材の斜視図
【図２０】  懸吊ベルトの表裏両面に、甲ファスナーと所定幅を離間して乙ファスナーを貼付した自動車運転者標識の正面図
【図２１】  同じく図２０における自動車運転者標識の側面図
【図２２】  同じく図２０における自動車運転者標識の裏面図
【図２３】  懸吊ベルト又は懸吊ベルト部材の上部裏面に貼付した甲ファスナーを、自動車の外縁部に貼付した乙ファスナーに着接した断面図
【図２４】  懸吊ベルト又は懸吊ベルト部材の上部両面に貼付した甲ファスナーの片面を、自動車の外縁部に貼付した乙ファスナーにリバーシブル着接を可能にする断面図
【図２５】  運転者標識部材と、両面テープ又は接着材の接合部材と、短冊形の懸吊ベルト部材とからなる各部材を、自動車の車体形状に合致するようユーザ自身が任意の位置に順に重ね合わせて接合し、自動車前部に設けた突設部材に前記懸吊ベルト部材を輪っかに巻掛けて、前記甲ファスナーと前記乙ファスナーとを着接し、前記運転者標識部材を自動車の外面に垂下した自動車運転者標識の正面図
【符号の説明】
【００４４】Ａ      下方表面
Ｂ      幅員
Ｃ      上部裏面
Ｄ      面ファスナー
Ｅ      外縁部
Ｆ      所定幅
Ｇ      突設部材
Ｈ      突縁
１      運転者標識
２      懸吊ベルト
３      甲ファスナー
４      乙ファスナー
５      接合部材
１１    運転者標識部材
４      懸吊ベルト部材
【手続補正２】
【補正対象書類名】特許請求の範囲
【補正対象項目名】全文
【補正方法】変更
【補正の内容】
【特許請求の範囲】
【請求項１】
短冊形で下端を突縁に形成した軟質合成樹脂製の懸吊ベルトが下方に運転者標識を表示する面を有し、前記懸吊ベルトの上部裏面に粘着剤付の甲ファスナーと乙ファスナーとからなる面ファスナーの前記甲ファスナー側を貼付し、前記乙ファスナー側をトランクリッドが下降して閉止する自動車後部の外縁部に隠蔽して貼付し、前記面ファスナーが固定端の節点で一点支持する前記懸吊ベルトを介して前記運転者標識を自動車の後部外面に垂下する自動車運転者標識。
【請求項２】
短冊形で下端を突縁に形成した軟質合成樹脂製の懸吊ベルトが下方に運転者標識を表示する面を有し、前記懸吊ベルトの上部裏面に粘着剤付の甲ファスナーと乙ファスナーとからなる面ファスナーの前記甲ファスナー側を貼付し、前記乙ファスナー側を前記甲ファスナーから所定幅を離間して前記懸吊ベルトの下方裏面に貼付し、フロントグリルの上段突設部材に前記懸吊ベルトの前記上部裏面を環状に巻掛けて前記甲ファスナーと前記乙ファスナーとを着接する回転端の節点で支持し、前記フロントグリルの下段突設部材には前記懸吊ベルトの前記突縁を挟入する移動端の節点で支持し、前記懸吊ベルトが縦に上下二点の節点で支持する前記運転者標識を自動車の前部外面に表示する自動車運転者標識。
【請求項３】
短冊形で下端は突縁に形成した軟質合成樹脂製の懸吊ベルトと、該懸吊ベルト部材の下方表面に重着する軟質合成樹脂製の運転者標識部材と、前記懸吊ベルト部材の上部裏面に貼付する面ファスナーとの各部材からなる自動車運転者標識。